(57)【要約】      （修正有）【課題】被作動体を一方の位置と他方の位置とに保持させるためにスプリングの弾性力を利用せず、また、構成が簡単で、常時弾性力を必要としない、常にその中の１つが作動状態にある複数の被作動体を選択的に作動させる選択作動機構を提供する。【解決手段】被作動体を各々独立に作動させるための作動杆１８ａ〜１８ｃを弁本体２に摺動可能に配し、これら作動杆１８ａ〜１８ｃに両端が弁本体２に掛止された可撓性を有する制御部材としてのベルト２５と直交して摺動可能に係合し、他の作動杆を操作して摺動させたときにベルト２５に発生する引っ張り力で作動状態の作動杆を摺動復帰させるようになし、本浄水器の多方切替弁や、電気接点に適用し得る。【選択図】図５
2004341839.tif 000002
【特許請求の範囲】
【請求項１】
本体に配され、常にその中の１つが作動状態にある複数の被作動体を選択的に作動させる選択作動機構において、前記被作動体を各々独立に作動させるために互いに平行に摺動自在に前記本体に配された複数の作動杆と、前記複数の作動杆のそれぞれの長手方向の軸に対し直交して延在し両端が前記本体に取り付けられた可撓性を有する制御部材と、前記可撓性を有する制御部材と前記作動杆側の交差位置に設けられた該可撓性を有する制御部材が摺動自在に係合する係合部と、前記作動杆の各々に連結された操作部とからなることを特徴とする選択作動機構。
【請求項２】
前記可撓性を有する制御部材は、ベルト状物もしくは線条物で構成されたことを特徴とする請求項１に記載の選択作動機構。
【請求項３】
前記可撓性を有する制御部材はループ形状であり、前記作動杆が前記ループ内に挿通され、該作動杆の側面が前記可撓性を有する制御部材に係合されてなることを特徴とする請求項１又は２に記載の選択作動機構。
【請求項４】
前記操作部は、前記作動杆の長手方向の軸に対して直交する方向に摺動し操作釦を有する操作杆と、前記作動杆の端と前記操作杆の端に設けた互いに当接する傾斜面とからなることを特徴とする請求項１に記載の選択作動機構。
【請求項５】
前記係合部は、前記作動杆に前記可撓性を有する制御部材が摺動自在に係合する溝もしくは孔からなることを特徴とする請求項１又は２に記載の選択作動機構。
【請求項６】
前記本体が浄水器の多方切替弁であり、前記被作動体が弁であることを特徴とする請求項１〜５の何れかに記載の選択作動機構。
【請求項７】
前記本体が電気スイッチであり、前記被作動体が電機接点であることを特徴とする請求項１〜５の何れかに記載の選択作動機構。
【発明の詳細な説明】
【０００１】
【発明の属する技術分野】
本発明は、常にその中の１つが作動状態にある複数の被作動体を選択的に作動させる選択作動機構に関し、特に常に１つが作動状態にある多数の弁や多数の接点等を有する装置に適用する場合に好適な選択作動機構に関するものである。
【０００２】
【従来の技術】
従来、この種の選択作動機構としては、例えば、下記特許文献１で示すように水道蛇口に取り付けて使用される浄水器の多方弁に用いられているものが知られている。この多方弁は、常に何れか１つの弁が開いた状態をとっており、押釦の操作で弁の開閉を選択的に行うようになっており、具体的にはボール式の多方弁であり、第１流出口と第２流出口をそれぞれ開閉する第１及び第２ボールが設けられ、これら第１及び第２ボールとを当接支持する当接部材のスライド動作により交互に開閉位置を取ることができるようになっている。
【０００３】
そして、この多方弁においては、当接部材をスライドさせる往復軸を押釦で往復動させている。したがって、この往復軸は必ず２つの位置を取らなければならず、一方の位置を取るためにはスプリングの付勢力を用いて達成し、他方の位置を取るためには押釦の操作によりスプリングの付勢力に逆らって他方の位置に移動させて保持するようになっている。
【０００４】
前述のような往復軸が一方の位置を取るためのスプリングとしては、位置の保持だけでなく振動、衝撃にも影響されないように十分な弾性力を有する必要があり、また、同じく他方の位置を取るための手段は、スプリングの弾性力に逆らうことができるだけでなく、振動、衝撃に耐え得る強固なものが必要である。そのため、この往復軸を２つの位置をとらせるためのスプリングとしては、コイルスプリングを用い、押釦の駐止手段としてバネ材と切り欠き等の係合により達成するだけでなく、確実に位置を維持するために往復軸と同軸に回転するカム機構等からなる一時停止手段を設けている。
【０００５】
【特許文献１】
特開平１１−２１７８５８号公報（段落〔００２１〕、段落〔００２３〕、段落〔００３２〕、段落〔００３４〕）
【０００６】
【発明が解決しようとする課題】
しかしながら、上述した従来の技術においては、弁を開閉する２つの位置を取るにあたり、一方の位置はスプリングの弾性力を用い、他方の位置はスプリングの弾性力に逆らって位置の保持を達成する構造の機構を用いるだけでなく、不用意に発生する振動、衝撃にも耐え得るものでなければならないため、弾性力の大きなスプリングと強固な駐止手段、一時停止手段を必要とするので、構造が複雑になりコスト高となる。また、この従来技術では、常に強い弾性力が作用しているので操作に大きな力を要するだけでなく、磨耗による劣化や故障の原因になる等の問題があり、加えて、コイルスプリング等の金属製の部品を多用しなければならず、特に浄水器のような水性環境下での使用にあっては錆びによる早い劣化をもたらすという問題点があった。
【０００７】
そこで、本発明は、上記の問題点に鑑みてなされたものであり、複数の被作動体を選択的に作動させる被作動体用選択作動装置において、簡単な構造であっても振動、衝撃に十分に耐え得ると共に、円滑な選択作動操作をなし得る選択作動機構を提供することを目的とする。
【０００８】
【課題を解決するための手段】
上記目的を達成するため、本願の請求項１にかかる選択作動機構は、本体に配され、常にその中の１つが作動状態にある複数の被作動体を選択的に作動させる選択作動機構において、前記被作動体を各々独立に作動させるために互いに平行に摺動自在に前記本体に配された複数の作動杆と、前記複数の作動杆のそれぞれの長手方向の軸に対し直交して延在し両端が前記本体に取り付けられた可撓性を有する制御部材と、前記可撓性を有する制御部材と前記作動杆側の交差位置に設けられた該可撓性を有する制御部材が摺動自在に係合する係合部と、前記作動杆の各々に連結された操作部とからなることを特徴としている。
【０００９】
そのため、常にその中の１つが作動状態にある前記複数の作動杆は、共通の前記可撓性を有する制御部材によって互いに連結され、１つの作動杆を選択して摺動させると自動的に他の作動杆が非作動状態に位置されるので、下記の種々の効果を有する選択作動機構を提供できる。
【００１０】
第１に、前記被作動体の位置を維持するための弾性力が不要となり、例えばスプリングとこれに対抗する前記被作動体の位置を維持する手段を設けるというような複雑な構成を必要とせず、構造を簡単にしてコスト低減を図ることができる。
【００１１】
第２に、機構全体に対して全く大きな弾性力が作用しないため、少ない力で円滑な操作ができるだけでなく機構の劣化による故障の発生がなくなる。第３に、前記作動杆の戻りの動作が単一の可撓性を有する制御部材だけで達成されるため、多数の作動杆であっても基本的には前記可撓性を有する制御部材を長くするだけでよいので多数の作動杆を有するものに容易に適用できる。
【００１２】
また、本願の請求項２に係る発明は、前記可撓性を有する制御部材が伸縮の少ないベルト状物もしくは線条物で構成されたことを特徴としており、材料としては可撓性と表面の摺動性に富んだ合成樹脂や合成繊維製のものやステンレス鋼等の金属製のものなどが利用でき、操作時の負荷や耐久性、使用環境などから適宜選定する。例えば湿潤状態で錆びによる腐食が懸念される場合は耐水性の合成樹脂や合成繊維製、またはステンレス鋼などのベルト状物もしくは線条物で構成する。
【００１３】
また、請求項３に係る発明は、前記可撓性を有する制御部材はループ状であり、前記作動杆が前記ループ内に挿通され当該作動杆の側面が前記可撓性を有する制御部材に係合されたものであることを特徴としている。そのため、前記可撓性を有する制御部材が前記作動杆を挟むようにして係合されているので、前記ベ可撓性を有する制御部材の引っ張り力は全部が前記作動杆の軸方向に対して作用し前記作動杆の摺動動作にねじれを生じることなく円滑に摺動を行わせる効果を有する選択作動機構を提供できる。
【００１４】
また、本願の請求項４に係る発明は、前記操作部が、前記作動杆の長手方向の軸に対して直交する方向に摺動し操作釦を有する操作杆と、前記作動杆の端と前記操作杆の端に設けた互いに当接する傾斜面とからなっていることを特徴とする。そのため、前記操作釦の押圧力を傾斜面により直角方向に変換するので、前記操作釦は前記操作杆の軸方向に変位するものに限らず直交する方向に変位するものも採用でき、前記操作釦の配置に簡単な構成で自由度を持たせた前記操作部が得られる効果を有する選択作動機構を提供できる。
【００１５】
また、本願の請求項５に係る発明は、前記係合部は、前記作動杆に前記可撓性を有する制御部材が摺動自在に係合する溝もしくは孔からなることを特徴とする。そのため、前記係合部は前記作動杆に前記可撓性を有する制御部材が摺動可能な溝もしくは孔を設けるだけで形成されるので、構成が簡単で組み立ても容易となる効果を有する選択作動機構を提供できる。
【００１６】
なお、上述の選択作動機構においては、前記本体が浄水器の多方切替弁であり、前記被作動体が弁の場合に適用することができ、さらには、前記本体が電気スイッチであり、前記被作動体が電機接点の場合にも適用することができる。
【００１７】
【発明の実施の形態】
以下、本発明の実施の形態について図面を参照しながら説明する。図１は本発明の一実施態様である水道蛇口に取り付けられる多方弁を用いた浄水器の外観を示す正面図、図２は図１における弁本体の外観を示す平面図、図３は図１における弁本体の外観を示す右側面図、図４は図２におけるＡ−Ａ線断面図、図５は図３におけるＢ−Ｂ線断面図、図６は図２におけるＣ−Ｃ線断面図、図７は図２におけるＤ−Ｄ線断面図、図８は図２におけるＥ−Ｅ線断面図、図９は本発明一実施形様における可撓性を有する制御部材であるベルトを拡大して示す正面図、図１０は本発明の一実施態様における作動杆を拡大して示す側面図である。
【００１８】
図１の正面図において、蛇口取付型浄水器１は、弁本体２と濾過部３とから構成されている。弁本体２は、上面部分が水道の蛇口４に取り付けられるようになっており、また、内部に３つの水路が形成され、これら水路には、詳細は後述するが、前方上面に設けた操作部５によって作動される弁が配されている。この弁本体２の下面には、第１の吐出口６ａと第２の吐出口６ｂが設けられ、第１の吐出口６ａは第１の水路に連なっており、第２の吐出口６ｂは第２の水路に連なっている。また、濾過部３の下面には第３の吐出口６ｃが設けられており濾過部材を介して第３の水路に連なっている。
【００１９】
蛇口４の上流には周知の止水栓７が設けられている。前述した弁本体２に配された弁の開閉状態は、常に１つの弁が開成し他の２つが閉成した状態にあり、どの弁が開成されるかは操作部５の操作によって選択的になされる。そのため、止水栓７の開成時には、少なくとも１つの吐出口から水が吐出され、全ての水の吐出を止めるには止水栓７による止水によって達成される。
【００２０】
弁本体２の外観は、図２の平面図及び図３の右側面図に示したとおり、上面には蛇口４（図１参照）に連結される連結口８が形成され、側面には濾過部３に連結される第３の水路の連結パイプ９が形成されている。なお、連結口８内にはパッキン１０が設けられている。また、操作部５は第１〜第３の操作釦１１ａ〜１１ｃにより構成されている。
【００２１】
次に、図４〜図８の弁本体内部を示す断面図を用いて、弁からなる複数の被作動体とこれを選択的に作動させる機構とを具体的に説明する。弁本体２内には連結口８に各々独立して連なる第１〜第３の水路１２ａ〜１２ｃが設けられている。第１の水路１２ａは多数の小孔が形成されたシャワー部材１３を有する第１の吐出口６ａに連なり、第２の水路１２ｂは第２の吐出口６ｂに連なり、第３の水路１２ｃは第３の吐出口６ｃに連なっている。
【００２２】
第１〜第３の水路１２ａ〜１２ｃの上端開口１４ａ〜１４ｃには、それぞれ第１〜第３のボール１５ａ〜１５ｃが位置され、被作動体である弁を形成している。これら第１〜第３の上端開口１４ａ〜１４ｃの各々の一方の側方には、第１〜第３のボール１５ａ〜１５ｃが第１〜第３の上端開口１４ａ〜１４ｃから退避する位置をとるための第１〜第３の逃げ部１６ａ〜１６ｃが形成されている。また、第１〜第３の逃げ部１６ａ〜１６ｃの底面には第１〜第３の傾斜面１７ａ〜１７ｃが形成されている。
【００２３】
そして、第１〜第３のボール１５ａ〜１５ｃは、これらのうちの何れか２つが自由状態となって第１〜第３の上端開口１４ａ〜１４ｃに位置し、これらの上端開口のうちの２つを塞いで閉成状態とする。
【００２４】
第１〜第３の上端開口１４ａ〜１４ｃを挟んで第１〜第３の逃げ部１６ａ〜１６ｃに向けて一端が突出、後退するように、第１〜第３の作動杆１８ａ〜１８ｃが弁本体２に摺動自在に配されている。そして、これら第１〜第３の作動杆１８ａ〜１８ｃは対応する第１〜第３のガイド１９ａ〜１９ｃによって並行に配置され、各々の他端が操作部５に突出されている。また、第１〜第３の作動杆１８ａ〜１８ｃの各々の一端と他端との間に位置する弁本体２にはシール用のパッキン２０が設けられている。
【００２５】
操作部５に突出した第１〜第３の作動杆１８ａ〜１８ｃのそれぞれの端部には上方を向いた第１〜第３の受け用傾斜面２１ａ〜２１ｃが設けられている。また、操作部５には、ガイド２２によって互いに平行に上下動自在に案内されている第１〜第３の操作杆２３ａ〜２３ｃが設けられており、これら第１〜第３の操作杆２３ａ〜２３ｃの下端には第１〜第３の受け用傾斜面２１ａ〜２１ｃに当接する第１〜第３の押圧用傾斜面２４ａ〜２４ｃが設けられている。さらに、第１〜第３の操作杆２３ａ〜２３ｃの上端には第１〜第３の操作釦１１ａ〜１１ｃが設けられている。
【００２６】
図９の正面図において拡大して示されているが、可撓性を有する制御部材である合成樹脂からなる扁平リング状のベルト２５が、図５及び図７に示すように、第１〜第３の作動杆１８ａ〜１８ｃの長手方向の軸に対して直交する方向に延在されており、そのループ内に第１〜第３の作動杆１８ａ〜１８ｃが挿通されている。そして、ベルト２５は弁本体２に形成した掛止部２６に両端が掛止されて取り付けられている。
【００２７】
図１０の側面図で拡大して示されているが、第１〜第３の作動杆１８ａ〜１８ｃとベルト２５との交差点には、第１〜第３の作動杆１８ａ〜１８ｃ側にベルト２５が摺動自在に係合する溝からなる第１〜第３の係合部２７ａ〜２７ｃが形成されている。これら第１〜第３の係合部２７ａ〜２７ｃは平面的に見てベルト２５が折曲されず緩やかな湾曲形状を保つように湾曲状に形成されている。
【００２８】
このようにして弁本体２に取り付けられている可撓性を有する制御部材であるベルト２５は、可撓性であっても伸縮するものでなく、ループ長が不変である。
特に図５で明らかなように、弁本体２に取り付けられた状態にあっては少なくとも１つの作動杆、例えば第２の作動杆１８ｂだけがその先端を突出するように摺動する状態を許容する長さとなっている。そして、第１の作動杆１８ａと第２の作動杆１８ｂの間、及び、第２の作動杆１８ｂと第３の作動杆１８ｃとの間にはそれぞれ案内用突起２８が設けられ、そこにベルト２５が沿わされて位置決めされている。
【００２９】
第１〜第３の受け用傾斜面２１ａ〜２１ｃの各々の下面には、常時スプリング２９ａ〜２９ｃによって突出するように偏移されている第１〜第３の突起３０ａ〜３０ｃが設けられている。第１〜第３の作動杆１８ａ〜１８ｃがそれぞれ第１〜第３のボール１５ａ〜１５ｃを突くように摺動した状態において、突起３０ａ〜３０ｃが位置する弁本体２側に係合孔３１ａ〜３１ｃが形成されており、この位置で突起３０ａ〜３０ｃはそれぞれ対応する係合孔３１ａ〜３１ｃに入るようになっている。このようにして、いわゆるクリックストップ機構が構成されているが、これは第１〜第３の作動杆１８ａ〜１８ｃが突出位置にあるときに、水圧、振動等の外力により後退することを阻止する程度の弱い力でもってストッパーの役割を果たすものである。このストッパーとしての力はスプリング２９ａ〜２９ｃの弾性力、突起３０ａ〜３０ｃの先端の形状等によって予め設定されている。
【００３０】
図１０の側面図に拡大して示したように、例えば第１の作動杆１８ａには、パッキン２０に接する第１の作動杆１８ａの周面に溝３２が形成されており、第１の作動杆１８ａがその先端を後退させた位置にあるときは、パッキン２０が溝３２にはまり込んで位置決めがなされるようになっている。また、第２の作動杆１８ｂ、第３の作動杆１８ｃにおいても同様の構成となっている。
【００３１】
次に、本発明の一実施態様における動作について説明する。弁本体２は常に１つの弁が開成し他の２つの弁が閉成した状態にあるが、図４〜８においては第２の操作釦１１ｂが押下されている場合を示す。従って、第２の作動杆１８ｂはその先端を第２の上端開口１４ｂに突出するように摺動変位され、第２のボール１５ｂが第２の逃げ部１６ｂに退避して第２の上端開口１４ｂを開成する。そして、第２の作動杆１８ｂはその突起３０ｂが係合孔３１ｂに挿入されて係合しているので、この開成位置が保持されている。
【００３２】
一方、第１の作動杆１８ａ及び第３の作動杆１８ｃは直線状になっている可撓性を有する制御部材であるベルト２５により先端が第１の上端開口１４ａ及び第３の上端開口１４ｃから後退した位置に保持されている。そのため、第１の上端開口１４ａには第１のボール１５ａが位置してこれを塞ぎ、第３の上端開口１４ｃには第３のボール１５ｃが位置してこれを塞いでいる。この状態で止水栓７を開き蛇口４より連結口８内に水道水を供給すれば、水道水は弁の開成状態になっている第２の上端開口１４ｂから第２の水路１２ｂに進入して第２の吐出口６ｂからそのまま水が吐出される。即ち、原水の使用状態となる。
【００３３】
この原水の使用状態から直接にシャワーの使用状態としたい場合は、第１の操作釦１１ａを押し下げる。この押し下げ動作によって第１の作動杆１８ａが下方に移動することにより第１の押圧用傾斜面２４ａが下降して第１の受け用傾斜面２１ａを押圧して第１の作動杆１８ａを摺動させる。そして、その先端を第１の上端開口１４ａに突出させ第１のボール１５ａを第１の逃げ部１６ａに退避させる。その結果、第１の上端開口１４ａが開かれる。同時に、ベルト２５は第１の作動杆１８ａに係合している部分で大きく撓み、第２の作動杆１８ｂに係合している部分では直線状になるので、第２の作動杆１８ｂがベルト２５によって引っ張られ先端が第２の上端開口１４ｂから後退するように摺動される。この摺動に際しては突起３０ｂが係合孔３１ｂから離脱される。
【００３４】
このように第２の作動杆１８ｂの先端が後退すると第２のボール１５ｂは第２の傾斜面１７ｂを自重により回動して第２の逃げ部１６ｂから第２の上端開口１４ｂに移動しこれを塞ぐ。その結果、供給されている水道水は第１の上端開口１４ａから第１の水路１２ａに進入してシャワー部材１３を有する第１の吐出口６ａからシャワーとして吐出される。
【００３５】
次に、水道水を濾過部３を通して浄水として使用したい場合は、第３の操作釦１１ｃを押し下げる。この押し下げ動作によって第３の操作杆２３ｃが下方に移動することにより、第３の押圧用傾斜面２４ｃが下降して第３の受け用傾斜面２１ｃを押圧して第３の作動杆１８ｃを摺動させる。そして、この作動杆１８ｃの先端を第３の上端開口１４ｃに突出させ第３のボール１５ｃを第３の逃げ部１６ｃに退避させる。その結果、第３の上端開口１４ｃが開かれる。
【００３６】
同時に、ベルト２５は第３の作動杆１８ｃに係合している部分で大きく撓み第１の作動杆１８ａに係合している部分で直線状になるので、第１の作動杆１８ａがベルト２５によって引っ張られ先端が第１の上端開口１４ａから後退するように摺動される。この摺動によって突起３０ｃが係合孔３１ｃから離脱される。
【００３７】
このように第１の作動杆１８ａの先端が後退すると第１のボール１５ａは第１の傾斜面１７ａを自重により回動して第１の逃げ部１６ａから第１の上端開口１４ａに移動しこれを塞ぐ。その結果、供給されている水道水は、第３の上端開口１４ｃから第３の水路１２ｃに進入して連結パイプ９を介して濾過部３に供給され、濾過されて浄水として第３の吐出口６ｃから吐出される。
【００３８】
上述したように本発明の一実施態様では、被作動体である第１〜第３のボール１５ａ〜１５ｃは第１〜第３の作動杆１８ａ〜１８ｃによってその中の１つが常に作動状態、即ち弁を開成した状態になっており、他の２つが弁を閉成した状態になっている。
【００３９】
そして、弁の開閉状態を転換するには、他の操作釦を押圧し他の操作杆で他のボールを突いて開成状態を達成させるのであるが、今までボールを突いていた作動杆がベルト２５に引っ張られて後退する。この引っ張り力は撓んでいるベルト２５が直線状になることだけで発生する。そのため、被作動体である第１〜第３のボール１５ａ〜１５ｃの位置を維持するための弾性力が不要となり、例えばスプリングとこれに対抗して第１〜第３の作動杆１８ａ〜１８ｃの位置を維持する手段を設けるというような複雑な構成を必要としない。
【００４０】
また、機構全体に対して全く大きな弾性力が作用しないため、少ない力で円滑な操作ができるだけでなく機構の劣化が少なくなる。さらに、各々の作動杆の戻りの動作が可撓性を有する制御部材である単一のべルト２５だけで達成されるため、多数の作動杆であっても基本的にはベルト２５を長くするだけでよく、より多数の作動杆を有するものに容易に適用できる。また、第１〜第３の作動杆１８ａ〜１８ｃはベルト２５のループ内に挿通され、ベルト２５が第１〜第３の作動杆１８ａ〜１８ｃを挟むようにして係合されているので、ベルト２５の引っ張り力は全部が第１〜第３の作動杆１８ａ〜１８ｃの軸方向に対して作用し摺動動作にねじれを生じることなく円滑に摺動を行わせることができる。
【００４１】
また、操作部５は、第１〜第３の作動杆１８ａ〜１８ｃとその長手方向の軸に対して直交する方向に摺動する第１〜第３の操作杆２３ａ〜２３ｃとが互いに当接する第１〜第３の受け用傾斜面２１ａ〜２１ｃと第１〜第３の押圧用傾斜面２４ａ〜２４ｃによって連結されている。従って、第１〜第３の操作釦１１ａ〜１１ｃの動作方向が直角方向に変換されるので、第１〜第３の操作釦１１ａ〜１１ｃは第１〜第３の作動杆１８ａ〜１８ｃの軸方向に変位するものに限らず直交する方向に変位するものにも採用できる。この採用にあたっては、傾斜面を用いるだけでよいので簡単な構成で第１〜第３の操作釦１１ａ〜１１ｃの配置に自由度を持たせた操作部５を得ることができる。
【００４２】
また、第１〜第３の作動杆１８ａ〜１８ｃとベルト２５とは溝からなる第１〜第３の係合部２７ａ〜２７ｃによって摺動自在に係合されているので、構成が簡単で組み立ても容易である。また、ベルト２５は合成樹脂からなるので錆びを全く生じないため、例えば常に水に浸たる浄水器のような悪環境下での使用にも適する。
【００４３】
なお、上述した本発明の一実施態様においては、水の弁開閉動作のための作動機構に適用したが、これに限定されることなく、電気回路を開閉する複数のスイッチのための作動機構、各種の部材に関連する複数の被作動体を作動させる作動機構等に適用してもよい。
【００４４】
さらに、上述した本発明の一実施態様においては、被作動体を３種としたが、これに限定されることなく、２種若しくは４種以上のものであってもよい。また、可撓性を有する制御部材として無端のループ状のベルト２５を用いたものを示したが、有端としてその両端を弁本体２に固定して取り付けるようにしてもよく、更にベルト２５に換えて線条物を用いてもよく、この場合、作動杆に溝を設ける代わりに孔を設けてこの孔に線状物を通すようにすることもできる。
【００４５】
さらにまた、本発明の一実施態様においては、被作動体の作動状態とは多方弁にあっては弁の開成状態としたが、例えば電気回路のスイッチの接点においてはオン状態に限らずオフ状態とする等、他の被作動体と反対の状態となしえるものであれば等しく適用し得る。即ち、常にその中で作動状態になっていることは、スイッチを例とするとオンに限らずオフであってもよい。
【００４６】
【発明の効果】
以上説明したように、本発明によれば、被作動体の位置を維持するための弾性力が不要となり、そのためのスプリングとこれに対抗して被作動体の位置を維持する手段とを必要とせず、構造を簡単にしてコスト低減を図ることができ、少ない力で円滑な操作ができるだけでなく機構の劣化による故障の発生がなくなり、さらに、多数の作動杆であっても容易に適用できるようになる。
【図面の簡単な説明】
【図１】本発明の一実施態様における被作動体用選択作動装置を適用した浄水器の外観を示す正面図である。
【図２】図１における弁本体の平面図である。
【図３】図１における弁本体の右側面図である。
【図４】図２におけるＡ−Ａ線断面図である。
【図５】図３におけるＢ−Ｂ線断面図である。
【図６】図２におけるＣ−Ｃ線断面図である。
【図７】図２におけるＤ−Ｄ線断面図である。
【図８】図２におけるＥ−Ｅ線断面図である。
【図９】本発明の一実施形態の可撓性を有する制御部材としてのベルトを拡大して示した正面図である。
【図１０】本発明の一実施形態における作動杆を拡大して示した側面図である。
【符号の説明】
１            浄水器
２            弁本体
３            濾過部
５            操作部
６ａ〜６ｃ    第１〜第３の吐出口
８            連結口
９            連結パイプ
１１ａ〜１１ｃ  第１〜第３の操作釦
１２ａ〜１２ｃ  第１〜第３の水路
１４ａ〜１４ｃ  第１〜第３の上端開口
１５ａ〜１５ｃ  第１〜第３のボール
１６ａ〜１６ｃ  第１〜第３の逃げ部
１７ａ〜１７ｃ  第１〜第３の傾斜面
１８ａ〜１８ｃ  第１〜第３の作動杆
２０            パッキン
２１ａ〜２１ｃ  第１〜第３の受け用傾斜面
２３ａ〜２３ｃ  第１〜第３の操作杆
２４ａ〜２４ｃ  第１〜第３の押圧用傾斜面
２５            ベルト
２６            掛止部
２７ａ〜２７ｃ  第１〜第３の係合部
３０ａ〜３０ｃ  第１〜第３の突起
３１ａ〜３１ｃ  第１〜第３の係合孔
３２            溝
【図１】
2004341839.tif 000003
【図２】
2004341839.tif 000004
【図３】
2004341839.tif 000005
【図４】
2004341839.tif 000006
【図５】
2004341839.tif 000007
【図６】
2004341839.tif 000008
【図７】
2004341839.tif 000009
【図８】
2004341839.tif 000010
【図９】
2004341839.tif 000011
【図１０】
2004341839.tif 000012